(57)【要約】      （修正有）【課題】蔓性植物を這わす棚に関し、通常は棚を起立させておき、台風が接近すると倒伏させることによって、蔓性植物に対する風当たりを緩和可能とする。【解決手段】蔓性植物を這わす起立棚ｔ１、ｔ２、・・を複数用い、間隔をおいて対向配置すると共に、通常は各起立棚ｔ１、ｔ２，・・の上部を水平方向のロープ材２で連結し、かつ両端の起立棚ｔ１、ｔ６の上部を傾斜ロープ材３で地面に引っ張って、起立状態に支持しておき、台風などが到来する際には、片方の制御用の傾斜ロープ材５，６を緩めて、各起立棚ｔ１，ｔ２，・・を一方向に倒せるように構成してある。【選択図】          図１
2005278579.tif 000002
【特許請求の範囲】
【請求項１】
蔓性植物を這わす起立棚を複数用い、間隔をおいて対向配置すると共に、通常は各起立棚の上部を連結ロープで連結し、かつ両端の起立棚の上部を地面に傾斜ロープ材で引っ張って、起立状態に支持しておき、台風などが到来する際には、傾斜ロープ材を緩めて、一方向に各起立棚を倒せるように構成してなることを特徴とする蔓性植物用の起伏式棚。
【請求項２】
前記の各起立棚の上部の少なくとも左右両側を前記のロープ材で連結してあり、左右両側の連結ロープの間は、蔓性植物を這わせるネット状になっていることを特徴とする請求項１に記載の蔓性植物用の起伏式棚。
【請求項３】
一端側の起立棚の上部を傾斜ロープ材で地面側に引っ張って支持してあり、他端側の起立棚の上部を地面側に引っ張って支持する制御用の傾斜ロープ材は、各起立棚を倒す際に、前記傾斜ロープ材が容易に伸長できないように、摺動抵抗増加機構を設けてなることを特徴とする請求項１または請求項２に記載の蔓性植物用の起伏式棚。
【請求項４】
前記の各起立棚の下辺を構成する水平のバー材は、地面から間隔を置いて位置決めされている軸受け手段に回動可能に支持されていることを特徴とする請求項１、請求項２または請求項３に記載の蔓性植物用の起伏式棚。
【請求項５】
前記の各起立棚の上部の水平バーと起立棚の連結ロープとを固定するための螺旋金具の基端屈曲部を、前記の連結ロープに形成してある結び目に差し込んで固定し、水平バー挟持部の先の螺旋状部を、連結ロープに巻き付け固定する構造になっていることを特徴とする請求項１、請求項２、請求項３または請求項４に記載の蔓性植物用の起伏式棚。
【請求項６】
蔓性植物を這わす複数の起立棚を対向させ、かつ間隔をおいて起立状態に、各起立棚上部を連結ロープで連結支持する際には、全ての起立棚を起立状態につっかい棒で仮支持しておいてから、他端側の制御用の傾斜ロープ材を地面側に張って固定した後に、各つっかい棒を外しておくことを特徴とする蔓性植物用の起伏式棚の起立支持方法。
【発明の詳細な説明】
【技術分野】
【０００１】
本発明は、苦瓜（ゴーヤー）やヘチマなどのような蔓性植物を這わす棚として適する起伏式の棚装置に関し、通常は棚を起立させておき、台風が接近すると倒伏させることによって、蔓性植物に対する風当たりを緩和可能とすることを目的とする。
【背景技術】
【０００２】
登録実用新案第3056738 号に記載のように、苦瓜などを這わす棚を、通常は三角屋根状に傾斜させた状態でつっかい棒で支持しておき、台風が接近すると、つっかい棒を外して、傾斜棚を地面上に伏せるような技術が提案されている。
【特許文献１】登録実用新案第3056738
【発明の開示】
【発明が解決しようとする課題】
【０００３】
ところが、前記のような傾斜棚の場合は、常につっかい棒で各傾斜棚を支えておく必要があるので、大量のつっかい棒が必要となる。また、台風が接近し、台風対策で多忙な状況の際に、各傾斜棚の全てのつっかい棒をいちいち外して、各傾斜棚ごとに寝かせる作業を行なう必要がある。そのため、台風対策に追われている時に、つっかい棒を外して、傾斜棚を寝かせる作業に人手を要するという問題がある。したがって、多数の傾斜棚を使用している大規模の農家には適しない。
【０００４】
本発明の技術的課題は、このような問題に着目し、通常は起立させておき、台風時には伏せておくことの出来る起伏式の棚装置において、短時間に一人でも容易に倒伏可能にすることにある。
【課題を解決するための手段】
【０００５】
本発明の技術的課題は次のような手段によって解決される。請求１は、蔓性植物を這わす起立棚を複数用い、間隔をおいて対向配置すると共に、通常は各起立棚の上部を水平方向のロープ材で連結し、かつ両端の起立棚の上部を傾斜ロープ材で地面に引っ張って、起立状態に支持しておき、台風などが到来する際には、片方の傾斜ロープ材を緩めて、各起立棚を一方向に倒せるように構成してなることを特徴とする蔓性植物用の起伏式棚である。
【０００６】
このように、複数の起立棚を間隔をおいて対向配置すると共に、通常は各起立棚の上部を水平のロープ材で連結し、かつ両端の起立棚の上部を地面に傾斜ロープで引っ張って、起立状態に支持しておく構造になっているため、全ての起立棚が立った状態となっており、苦瓜などの蔓性植物を這わせて栽培するのに適している。また、起立棚は、傾斜状態ではなく、ほぼ鉛直状態に起立した状態となるので、各起立棚の間は風通しが良好となる。
【０００７】
両端の起立棚の上部を傾斜ロープで地面に引っ張っておくことによって、各起立棚を起立状態に支持しているため、台風などが接近する際には、傾斜ロープを緩めれば、各起立棚を一斉に一方向に倒して、地面上に倒伏させることができる。したがって、起立棚が多数立っている場合でも、一人で短時間に容易に台風対策が可能となる。
【０００８】
請求項２は、前記の各起立棚の上部の少なくとも左右両側を前記の水平方向のロープ材で連結すると共に、左右両側の水平方向ロープ材の間は、蔓性植物を這わせるネット状になっていることを特徴とする請求項１に記載の蔓性植物用の起伏式棚である。このように、前記の各起立棚の上部の少なくとも左右両側を前記の水平ロープ材で連結すると共に、左右両側の水平ロープ材の間は、蔓性植物を這わせるネット状になっているので、起立棚だけでなく、各起立棚の上部間を連結するための水平ロープ自体も蔓性植物用の棚の形成に兼用できる。しかも、水平状態の棚となるので、蔓性植物の栽培に好適である。
【０００９】
請求項３は、一端側の起立棚の上部を傾斜ロープ材で地面側に引っ張って支持してあり、他端側の起立棚の上部を地面側に引っ張って支持する制御ロープ材は、各起立棚を倒す際に、前記傾斜ロープ材が容易に伸長できないように、摺動抵抗増加手段を設けてなることを特徴とする請求項１または請求項２に記載の蔓性植物用の起伏式棚である。このように、他端側の傾斜ロープ材は、摺動抵抗増加手段を介して、地面側に固定してあるので、各起立棚を倒す際に、摺動抵抗が増加していることによって、前記傾斜ロープ材は容易に伸長することができない。その結果、傾斜ロープ材を人手で徐々にコントロールしながらゆるめて伸長させ、起立棚を徐々に地面上に倒すことができる。したがって、傾斜ロープが一瞬に伸長して、全ての起立棚が一斉に転倒するような事態を防止できる。
【００１０】
請求項４は、前記の各起立棚の下辺を構成する水平のバー材は、地面から間隔を置いて位置決めされている軸受け手段に回動可能に支持されていることを特徴とする請求項１、請求項２または請求項３に記載の蔓性植物用の起伏式棚である。このように、各起立棚下辺の水平のバー材は、地面から間隔を置いて位置決めされている軸受け手段に回動可能に支持されているので、起立棚を地面上に倒して伏せた状態にしても、蔓性植物の果実などが地面に接して、品質低下を来たりしたりすることを防止できる。
【００１１】
請求項５は、前記の各起立棚の上部の水平バーと起立棚のロープ材とを固定するための螺旋金具の基端屈曲部を、前記のロープ材に形成してある結び目に差し込んで固定し、水平バー挟持部の先の螺旋状部を、ロープ材に巻き付け固定する構造になっていることを特徴とする請求項１、請求項２、請求項３または請求項４に記載の蔓性植物用の起伏式棚である。このように、螺旋金具の基端屈曲部をロープ材の結び目に差し込んで連結固定し、ロープ材に水平バーを挟持固定した部分の先の螺旋状部をロープ材に巻き付け固定する構造になっているので、螺旋金具の基端屈曲部はロープ材の結び目に差し込んで固定し、螺旋状部をロープ材に巻き付けて固定できる。その結果、挟持部においてロープ材に挟持固定された水平バーは、ロープ材の長手方向の力が作用しても、離脱することはなく、確実に固定される。したがって、ロープ材に結び目さえ形成すれば、螺旋金具によって容易に水平バーを連結固定でき、ロープ材と起立棚上部の水平バーとの連結固定は容易である。
【００１２】
請求項６は、蔓性植物を這わす複数の起立棚を対向させ、かつ間隔をおいて起立状態に、各起立棚上部をロープ材で連結した状態に起立させる際に、各起立棚を起立状態につっかい棒で仮支持しておいてから、他端側の傾斜ロープ材を地面側に張って固定した後に、各つっかい棒を外すことを特徴とする蔓性植物用の起伏式棚の起立支持方法である。
【００１３】
このように、台風が去ったりして、倒伏状態の各起立棚を起立させる際は、各起立棚を一つずつ起こして、起立状態につっかい棒で仮支持しておいてから、他端側の傾斜ロープを地面側に張って固定しておくと、この傾斜ロープによって、各起立棚が転倒しないように支持された状態となる。その結果、各つっかい棒を外しても、各起立棚が転倒することはない。したがって、起立支持の後は、これらのつっかい棒を取り外して、他の起立棚を引き起こして支持するのに何回も使用できる。
【発明の効果】
【００１４】
請求項１のように、複数の起立棚を間隔をおいて対向配置すると共に、通常は各起立棚の上部を水平のロープ材で連結し、かつ両端の起立棚の上部を地面に傾斜ロープで引っ張って、起立状態に支持しておく構造になっているため、全ての起立棚が立った状態となっており、苦瓜などの蔓性植物を這わせて栽培するのに適している。また、起立棚は、傾斜状態ではなく、ほぼ鉛直状態に起立した状態となるので、各起立棚の間は風通しが良好となる。
【００１５】
両端の起立棚の上部を傾斜ロープで地面に引っ張っておくことによって、各起立棚を起立状態に支持しているため、台風などが接近する際には、傾斜ロープを緩めれば、各起立棚を一斉に一方向に倒して、地面上に倒伏させることができる。したがって、起立棚が多数立っている場合でも、一人でも短時間に容易に台風対策が可能となる。
【００１６】
請求項２のように、前記の各起立棚の上部の少なくとも左右両側を前記の水平ロープ材で連結すると共に、左右両側の水平ロープ材の間は、蔓性植物を這わせるネット状になっているので、起立棚だけでなく、各起立棚の上部間を連結するための水平ロープ自体も蔓性植物用の棚の形成に兼用できる。しかも、水平状態の棚となるので、蔓性植物の栽培に好適である。
【００１７】
請求項３のように、他端側の傾斜ロープ材は、摺動抵抗増加手段を介して、地面側に固定してあるので、各起立棚を倒す際に、摺動抵抗が増加していることによって、前記傾斜ロープ材は容易に伸長することができない。その結果、傾斜ロープ材を人手で徐々にコントロールしながらゆるめて伸長させ、起立棚を徐々に地面上に倒すことができる。したがって、傾斜ロープが一瞬に伸長して、全ての起立棚が一斉に転倒するような事態を防止できる。
【００１８】
請求項４のように、各起立棚下辺の水平のバー材は、地面から間隔を置いて位置決めされている軸受け手段に回動可能に支持されているので、起立棚を地面上に倒して伏した状態にしても、蔓性植物の果実などが地面に接して、品質低下を来たりしたりすることも防止できる。
【００１９】
請求項５のように、螺旋金具の基端屈曲部をロープ材の結び目に差し込んで連結固定し、ロープ材と水平バーとの挟持固定部の先の螺旋状部をロープ材に巻き付け固定する構造になっているので、螺旋金具の基端屈曲部をロープ材の結び目に差し込んで固定し、螺旋状部をロープ材に巻き付けて固定できる。その結果、挟持部においてロープ材に挟持固定された水平バーは、ロープ材の長手方向の力が作用しても、離脱することはなく、確実に固定される。したがって、ロープ材に結び目さえ形成すれば、螺旋金具によって容易に水平バーを連結固定でき、ロープ材と起立棚上部の水平バーとの連結固定は容易である。
【００２０】
台風が去ったりして、倒伏状態の各起立棚を起立させる際は、請求項６のように、各起立棚を一つずつ起こして、起立状態につっかい棒で仮支持しておいてから、他端側の制御ロープを地面側に張って固定しておくと、この制御ロープによって、各起立棚が転倒しないように支持された状態となる。その結果、各つっかい棒を外しても、各起立棚が転倒することはない。したがって、起立支持の後は、これらのつっかい棒を取り外して、他の起立棚を起こして支持するのに何回も使用できる。
【発明を実施するための最良の形態】
【００２１】
次に本発明による蔓性植物用の起伏式棚装置が実際上どのように具体化されるか実施形態を説明する。図１は、本発明による蔓性植物用の起伏式棚装置において、各起立棚が起立した状態を示す斜視図である。図示の場合は、６枚の起立棚t1・t2…が起立しているが、これらの起立棚t1・t2…の上部間は、手前側の水平ロープ１と後方の水平ロープ２によって連結されている。また、左端の起立棚t1の上部を、左側の傾斜ロープ３・４によって、地面に引っ張って固定してあり、右端の起立棚t6の上部を、右側の傾斜ロープ５・６によって、地面に引っ張って固定してある。各起立棚t1・t2…の下辺は水平のバー７からなり、この水平バー７は、軸支金具８によって、地面上に回動可能に支持されている。
【００２２】
各起立棚t1・t2…は、丸パイプなどからなる四角い枠の内部にネットＮを張ってある。この四角枠は、下辺の水平バー７と上端の水平バー９と、左右の縦枠１０、１１からなっている。したがって、地面に植えられた苦瓜などの蔓性植物は、この起立棚t1・t2…のネットＮを支えにして、這い伸びることができる。また、前記の前後２本の水平ロープ１、２間には水平にネットｎを張ってあるので、前記の各起立棚t1・t2…から這って来た蔓は、この水平ネットｎを支えにして、水平に這って拡がることができる。このようにして、複数の起立棚t1・t2…のネットＮと起立棚上端に水平に張られたネットｎとで、蔓性植物を支持して、栽培が可能となるが、台風などが襲来すると、蔓性植物自体が被害を受けるだけでなく、各起立棚t1・t2…や水平ネットなどの設備も被害を受け、損壊する恐れがある。
【００２３】
この起伏式棚の場合は、台風が接近して来たら、右側の傾斜ロープ５、６を緩めると、各起立棚t1・t2…が一斉に図２のように、左側に傾き始める。そして、傾斜ロープ５、６を十分に伸ばして緩めると、図３のように、完全に伏せた状態となる。その結果、強風による風当たりが緩和されるので、蔓性植物や施設の被害を防止軽減できる。なお、強風による被害をより抑制するために、図３のように、伏せられた蔓性植物や水平ネットｎの上に、別のネットを被せて押さえておくと、強風による蔓性植物の被害がさらに軽減される。なお、図３のように伏せた状態において、苦瓜などの果実が地面に接して品質低下を来すのを防止するために、図６のようなスペーサ手段を採用することによって、地面から浮かすことができる。
【００２４】
台風が去った後は、再び図１のように、各起立棚t1・t2…を起立状態に起こす必要がある。すなわち、図１のように、各起立棚t1・t2…を起立状態にしてから、右側の傾斜ロープ５、６を地面に引っ張って固定しておく。伏せている状態の各起立棚t1・t2…を引き起こして立てる際に、右側の傾斜ロープ５、６を引っ張って起こすことも可能ではあるが、非常に大きな力を要し、人力では無理である。
【００２５】
そこで、図４のように、まず左端の１枚の起立棚t1のみを人力で起こして、つっかい棒１２を立てて、仮支持しておく。次いで、２番目の起立棚t2のみを引き起こして立てて、別のつっかい棒１２で、倒れないように仮支持しておく。以下同様にして、全ての起立棚t1・t2…を起こして、つっかい棒で仮に支持した状態において、右側の傾斜ロープ５、６を地面に引っ張って固定する。このとき、各起立棚t1・t2…がつっかい棒１２で仮支持された状態のままで、傾斜ロープ５、６を地面に固定するだけでもよい。この場合は、各起立棚t1・t2…は、つっかい棒１２側に多少傾いた状態となる。
【００２６】
これに対し、各起立棚t1・t2…がつっかい棒で支持されている状態において、右側の傾斜ロープ５、６を強く引っ張って、各起立棚t1・t2…を鉛直に近い状態まで起立させてから、傾斜ロープ５、６を地面に固定することもできる。この場合は、つっかい棒１２は、全く役目をしなくなるので、取り外して、別の起伏式棚における起立棚t1・t2…の起立操作に利用できる。なお、図３のように、地面上に伏せている起立棚t1・t2…を引き起こす場合に比べて、つっかい棒１２で仮支持されて斜めに立っている状態の起立棚t1・t2…を鉛直に立てる際は、さほど強い力を要しないので、傾斜ロープ５、６を引っ張っるだけで容易に操作可能である。
【００２７】
右側の傾斜ロープ５、６には強大な張力が作用しているので、その操作には強大な操作力が必要となる。このような強大な張力が作用した状態でも一人で容易に操作できるように、図５のような工夫がなされている。すなわち、傾斜ロープ５、６には、摺動抵抗増加手段１３を設けてある。１４は地面への固定リングであり、例えば螺旋状の杭１５の上端に設けてある。したがって、この螺旋状杭１５をドリルを回転させるようにして地中にねじ込んで固定した状態において、地上に露出している固定リング１４と傾斜ロープ５、６の端部のリング部５Ｒ、６Ｒに伸縮ロープ１３Ｒを複数回通してから、ロープ両端を前記ロープリング部５Ｒ、６Ｒまたは固定リング１４に結んで固定してある。
【００２８】
いま、伸縮ロープ１３Ｒが前記のロープリング部５Ｒ、６Ｒと地面の固定リング１４との間に１〜２回しか通してないと仮定すると、前記伸縮ロープ１３Ｒの一端を解放すると、前記のような全ての起立棚t1・t2…が転倒しようする際の荷重が作用するため、その荷重に負けてしまって、容易に一瞬に伸縮ロープ１３Ｒが全部伸長してしまう恐れがある。ところが、前記のように、この伸縮ロープ１３Ｒは、前記のロープリング部５Ｒ、６Ｒと地面の固定リング１４との間に多数回通して往復させてあるため、ロープリング部５Ｒ、６Ｒと固定リング１４間の１本１本の伸縮ロープ１３Ｒには、強大な荷重が分散された状態で作用するので、伸縮ロープ１３Ｒの一端を解放しても、当該端部に作用する力は、一人でも操作コントロールできるほどの力に減少する。その理由は、伸縮ロープ１３Ｒを通して往復させる回数が増えるほど、伸縮ロープ１３Ｒに作用するロープリング部５Ｒ、６Ｒまたは固定リング１４との間の摺動抵抗が増大するため、伸縮ロープ１３Ｒがこの摺動抵抗に打ち勝って容易に伸長することができないからである。
【００２９】
その結果、傾斜ロープ５、６を伸長させて緩める際には、伸縮ロープ１３Ｒの一端をロープリング部５Ｒ、６Ｒまたは固定リング１４から解いて、人手で持って徐々にゆるめて、長さＬの伸縮ロープ１３Ｒの部分を伸長させていくと、起立棚t1・t2…の全体が一瞬に倒れないように、徐々にコントロールしながら、地面に倒していくことができる。なお、図示の摺動抵抗増加手段は一例であって、例えば立木が立っているような場合は、傾斜ロープ５、６を立木に直接何回も巻き付けてから、ロープ端部を結んで固定しておくだけでもよい。そして、ゆるめる際は、ロープ端部を解いて、人手で徐々にゆるめて伸長させると、立木とロープとの間の摺動抵抗によって、傾斜ロープ５、６は徐々に伸長されるので、起立棚t1・t2…は徐々にコントロールされながら、転倒していくことになる。立木に代わって、ロープ巻き付け芯をロープリング部５Ｒ、６Ｒまたは固定リング１４に連結しておいてもよい。
【００３０】
前記のようにして起立棚t1・t2…を地面上に倒した際に、起立棚t1・t2…が地面上に密着すると、起立棚t1・t2…のネットＮや上端の水平ネットｎに支持されている苦瓜などの果実が地面に接することになり、品質低下の原因とする。そこで、図６のように、スペーサー手段を設けてある。１６はＵ字状の軸受けであり、地面Ｅとの間に、間隔Ｇをおいて固定されている。そして、このＵ字状の軸受け１６のＵ字状軸受け部に前記の起立棚の下辺の水平バー７を載置支持してある。したがって、前記のように起立棚t1・t2…を倒して地面に伏せた場合でも常に、下辺水平バー７は、地面Ｅから間隔Ｇだけ浮いた状態となるので、苦瓜などの果実は、間隔Ｇの空間に垂れることができ、地面Ｅに接して品質低下を来すような恐れはない。なお、起立棚t1・t2…の上端の水平バー９が倒れる位置に高さＧの枕を設けて、その上に倒せば、上端水平バー９側にも間隔Ｇを容易に設けることができる。
【００３１】
Ｕ字状軸受け１６の支柱１６ｐは、地中に打ち込んだだけでは、起立棚の荷重によって、地面との間隔Ｇが縮小していく恐れがあるので、支柱１６ｐに水平バー１７を溶接固定すると共に、地面Ｅ上に置いた平板１８に開けた孔を通して、支柱１６ｐを地中に打ち込んである。その結果、起立棚t1・t2…の荷重は、平板１８に作用するので、支柱１６ｐが地中に徐々に沈降して間隔Ｇが縮小するのを防止できる。
【００３２】
各起立棚t1・t2…の上部の水平バー９と前後の水平ロープ１、２との接続の仕方は、特に限定されないが、例えば水平バー９に水平ロープ１、２を直接結び着けてもよいし、図７のような接続専用の器具や金具を用いて接続してもよい。あるいは、水平バー９に接続用のフックやリングなどを溶接その他の手法で固定しておいて、このフックやリングなどに水平ロープ１、２を接続することもできる。また、起立棚t1・t2…の両端から水平バー９の両端を部分的に突出させておいて、この突出部に水平ロープ１、２を接続してもよい。
【００３３】
図７は、起立棚上部の水平バーと前後の水平ロープとの連結固定手段の実施形態であり、（１）のように、水平ロープ１自体を輪にして結び目１９を予め形成しておく。そして、この結び目１９に、（２）のような螺旋金具２０の基端屈曲部２０ａを差し込んで固定する。半円状部２０ｂは、その半円状凹部２０ｃ中に、（３）のように、起立棚上部の水平バー９を嵌め込むためであり、この半円状部２０ｂより先の部分は螺旋状に形成されていて、この螺旋状部２０ｄを水平ロープ１、２に巻き付けて連結する。
【００３４】
この螺旋金具２０で水平ロープ１、２と起立棚上部の水平バー９を連結固定すると、（３）の側面図、（４）の平面図のようになる。連結固定に際しては、まず螺旋金具の基端屈曲部２０ａを水平ロープ１の結び目１９中に差し込んで固定してから、水平ロープ１と（２）図の半円状部２０ｂ間の半円状凹部２０ｃ中に起立棚上部の水平バー９を挟み込んでから、螺旋状部２０ｄを水平ロープ１に巻き付けるだけで完了である。この状態において、水平ロープ１に右向きの力が作用すると、水平バー９は結び目１９側で保持され、水平ロープ１に左向きの力が作用すると、水平バー９は螺旋状部２０ｄ側で保持される。水平バー９側に左右方向の力が作用した場合も、同様にして保持される。なお、螺旋状部２０ｄの内径よりも水平ロープ１の外径が多少太めであることが必要である。基端屈曲部２０ａは、結び目１９に強引に差し込んだ状態で、容易に外れないように屈曲しておれば足りる。
【００３５】
本発明において、ロープないしロープ材とは、材質や太さなどの如何を問わず、紐やワイヤーなども含まれるものとする。したがって、材質は金属製でも、合成樹脂製でも、植物性でもよい。
【産業上の利用可能性】
【００３６】
以上のように、本発明による蔓性植物用の起伏式棚は、起立棚t1・t2…と起立棚上部を連結する前後ロープ１・２間の水平ネットによって、苦瓜やヘチマなどの蔓性植物を栽培し、台風などが到来する際は、予め各起立棚t1・t2…を一斉に徐々にコトロールしながら地面上に倒して伏せた状態にできるので、台風などの強風で蔓性植物が損傷を受けるのを防止できる。その結果、農家の経営が、台風に左右されることなく、安定収入が可能となる。
【図面の簡単な説明】
【００３７】
【図１】本発明による蔓性植物用の起伏式棚において、各起立棚が起立した状態を示す斜視図である。
【図２】傾斜ロープを緩めて、全ての起立棚を一斉に倒し始めた状態を示す斜視図である。
【図３】全ての起立棚を完全に伏せた状態の斜視図である。
【図４】伏せた状態の起立棚を起立させる過程を示す斜視図である。
【図５】傾斜ロープの摺動抵抗増加手段を示す斜視図である。
【図６】起立棚用のスペーサ手段の使用状態を示す縦断面図である。
【図７】起立棚上部の水平バーと前後の水平ロープとの連結固定手段の実施形態であり、（１）は水平ロープの結び目を示す平面図、（２）は螺旋金具を示す平面図、（３）は螺旋金具で水平ロープと水平バーを連結固定した状態の側面図、（４）は（３）図の状態の平面図である。
【符号の説明】
【００３８】
t1・t2…  起立棚
１  手前の水平ロープ
２  後方の水平ロープ
ｎ  水平ネット
３・４  左側の傾斜ロープ
５・６  右側の傾斜ロープ（制御ロープ）
５Ｒ、６Ｒ  ロープリング部
７  下辺の水平バー
８  軸支金具
９  上端の水平バー
１０  左の縦枠
１１  右の縦枠
Ｎ  起立棚のネット
１２  つっかい棒
１３  摺動抵抗増加手段
１３Ｒ  伸縮ロープ
１４  固定リング
１５  螺旋状杭
１６  Ｕ字状の軸受け
１６ｐ  支柱
１７  水平バー
１８  平板
１９  結び目
２０  螺旋金具
２０ａ  基端屈曲部
２０ｂ  半円状部
２０ｃ  半円状凹部
２０ｄ  螺旋状部
【図１】
2005278579.tif 000003
【図２】
2005278579.tif 000004
【図３】
2005278579.tif 000005
【図４】
2005278579.tif 000006
【図５】
2005278579.tif 000007
【図６】
2005278579.tif 000008
【図７】
2005278579.tif 000009